(57)【要約】【課題】紫外線光源の数を少なくしても生ゴミ処理装置内部の広い範囲に紫外線を照射することができる生ゴミ処理装置を提供する。【解決手段】ＵＶＬＥＤ２０を点灯させると、紫外線が垂直面５ｅから中ケース５内に入射され、該中ケース５内を導波して上ケース４内にも入射され、上ケース４内を導波する。中ケース５、上ケース４内を導波する間に、紫外線の一部がケース５，４の内面に当たると、ケース５，４内に出射する。このように出射した紫外線により、ディスポーザ１内が殺菌され、ヌメリ除去などの防汚作用が奏される。【選択図】図１
2006305480.tif 000002
【特許請求の範囲】
【請求項１】
生ゴミ処理装置内部に紫外線を照射するための紫外線光源を備えた生ゴミ処理装置において、
該生ゴミ処理装置の少なくとも一部が紫外線透過性を有した透光部となっており、前記紫外線光源からの紫外線が該透光部内に入射され、該透光部内を導波して該透光部から生ゴミ処理装置内部に出射するよう構成されていることを特徴とする生ゴミ処理装置。
【請求項２】
請求項１において、前記透光部の生ゴミ処理装置内部に臨む内面のうち、一部のみから紫外線を出射させるように構成されていることを特徴とする生ゴミ処理装置。
【請求項３】
請求項１又は２において、
該透光部の生ゴミ処理装置内部に臨む内面に下向き面が設けられ、
この下向き面の少なくとも一部から紫外線を出射させるよう構成されていることを特徴とする生ゴミ処理装置。
【請求項４】
請求項１ないし３のいずれか１項において、
該透光部の生ゴミ処理装置内部に臨む内面に上向き面が設けられ、この上向き面の少なくとも一部から紫外線を出射させるよう構成されていることを特徴とする生ゴミ処理装置。
【請求項５】
請求項１ないし４のいずれか１項において、前記透光部の内部に、導波してきた紫外線を散乱させるため散乱部が設けられていることを特徴とする生ゴミ処理装置。
【請求項６】
請求項１ないし４のいずれか１項において、前記透光部の生ゴミ処理装置内部に臨む内面のうち、紫外線を出射させる部分を凹凸面にて構成したことを特徴とする生ゴミ処理装置。
【請求項７】
請求項１ないし６のいずれか１項において、前記透光部の少なくとも一部に蛍光材又は蓄光材が設けられていることを特徴とする生ゴミ処理装置。
【請求項８】
請求項１ないし７のいずれか１項において、前記透光部の少なくとも一部に光触媒が保持されていることを特徴とする生ゴミ処理装置。
【発明の詳細な説明】
【技術分野】
【０００１】
本発明はディスポーザなどの生ゴミ処理装置に係り、特に内部に紫外線を出射するよう構成された生ゴミ処理装置に関する。
【背景技術】
【０００２】
上部の投入口から内部に投入された生ゴミを細かく解砕して排水管へ流すようにしたディスポーザは、インペラをモータで回転させ、ケース内面とインペラとの間で生ゴミを摩砕したり、あるいはインペラの遠心力によって生ゴミをケース内面に叩き付けたりすることによって生ゴミを解砕するようにしている。
【０００３】
このディスポーザは、水で濡れることが多く、しかも調理屑や食用油などの有機物と接することから、ヌメリ等の汚れが付き易い。このヌメリ等の発生防止のために、投入口に装着された蓋や、ディスポーザ内部に向けて紫外線を照射するように紫外線ＬＥＤを設けることが特開２００１−１１２８５５号の図１に記載されている。
【０００４】
特開平１１−７６８５２号の００３０段落には、ディスポーザの内面に酸化チタン等の光触媒の被膜を設け、カビ、ヌメリ、悪臭発生を防止することが記載されている。
【０００５】
特開２００３−３３５５９１号には、生ゴミ処理装置の一部を透光材にて構成し、紫外線ＬＥＤからの紫外線を生ゴミ処理装置内部に照射することが記載されている。
【特許文献１】特開２００１−１１２８５５号
【特許文献２】特開平１１−７６８５２号
【特許文献３】特開２００３−３３５５９１号
【発明の開示】
【発明が解決しようとする課題】
【０００６】
本発明は、紫外線光源の数を少なくしても生ゴミ処理装置内部の広い範囲に紫外線を照射することができる生ゴミ処理装置を提供することを目的とする。
【課題を解決するための手段】
【０００７】
請求項１の生ゴミ処理装置は、生ゴミ処理装置内部に紫外線を照射するための紫外線光源を備えた生ゴミ処理装置において、該生ゴミ処理装置の少なくとも一部が紫外線透過性を有した透光部となっており、前記紫外線光源からの紫外線が該透光部内に入射され、該透光部内を導波して該透光部から生ゴミ処理装置内部に出射するよう構成されていることを特徴とするものである。
【０００８】
請求項２の生ゴミ処理装置は、請求項１において、前記透光部の生ゴミ処理装置内部に臨む内面のうち、一部のみから紫外線を出射させるように構成されていることを特徴とするものである。
【０００９】
請求項３の生ゴミ処理装置は、請求項１又は２において、該透光部の生ゴミ処理装置内部に臨む内面に下向き面が設けられ、この下向き面の少なくとも一部から紫外線を出射させるよう構成されていることを特徴とするものである。
【００１０】
請求項４の生ゴミ処理装置は、請求項１ないし３のいずれか１項において、該透光部の生ゴミ処理装置内部に臨む内面に上向き面が設けられ、この上向き面の少なくとも一部から紫外線を出射させるよう構成されていることを特徴とするものである。
【００１１】
請求項５の生ゴミ処理装置は、請求項１ないし４のいずれか１項において、前記透光部の内部に、導波してきた紫外線を散乱させるため散乱部が設けられていることを特徴とするものである。
【００１２】
請求項６の生ゴミ処理装置は、請求項１ないし４のいずれか１項において、前記透光部の生ゴミ処理装置内部に臨む内面のうち、紫外線を出射させる部分を凹凸面にて構成したことを特徴とするものである。
【００１３】
請求項７の生ゴミ処理装置は、請求項１ないし６のいずれか１項において、前記透光部の少なくとも一部に蛍光材又は蓄光材が設けられていることを特徴とするものである。
【００１４】
請求項８の生ゴミ処理装置は、請求項１ないし７のいずれか１項において、前記透光部の少なくとも一部に光触媒が保持されていることを特徴とするものである。
【００１５】
なお、本発明において、生ゴミとは家庭から排出される調理屑に限らず、農作物の廃棄物や動物の排泄物等であってもよい。
【発明の効果】
【００１６】
本発明の生ゴミ処理装置では、紫外線光源からの紫外線が透光部内を導波して生ゴミ処理装置内部に出射されるため、この透光部が生ゴミ処理装置内部の広い面に臨むようにしておくことにより、紫外線光源数を少なくしても、生ゴミ処理装置内部の広い範囲に紫外線を照射することができる。
【００１７】
請求項２のように、透光部内面の一部のみから紫外線を出射させるよう構成した場合には、該一部から出射する紫外線光量を多くすることができる。
【００１８】
請求項３の生ゴミ処理装置によると、透光部の下向き面から生ゴミ処理装置内部の下部に向かって紫外線が照射されるようになる。
【００１９】
請求項４の生ゴミ処理装置によると、透光部の上向き面から生ゴミ処理装置内部の上部の例えば蓋などに向かって紫外線が照射される。
【００２０】
請求項５の生ゴミ処理装置のように、透光部の内部に紫外線散乱部を設けておくと、この紫外線散乱部が生ゴミと接することがなく、紫外線散乱部に汚れが付着しなくなる。
【００２１】
請求項６の生ゴミ処理装置によると、紫外線出射部を容易に構成することができる。
【００２２】
請求項７の生ゴミ処理装置によると、蛍光材又は蓄光材が発光することにより、生ゴミ処理装置内部が照明される。また、紫外線光源の作動を可視光で確認することができる。
【００２３】
請求項８の生ゴミ処理装置によると、透光部の表面が光触媒により汚れが分解され、紫外線の入射及び出射が汚れの影響を受けにくくなる。
【発明を実施するための最良の形態】
【００２４】
以下、図面を参照して実施の形態について説明する。図１は実施の形態に係るディスポーザの断面図、図２は図１のディスポーザのII部分の拡大図である。
【００２５】
このディスポーザ１は、上部に設けられた取付筒２と、この取付筒２にジョイントパッキン３を介して連なる上ケース４と、該上ケース４の下側に連なる中ケース５と、該中ケース５の下側に連なる下ケース６と、該ケース５，６内の粉砕室７の周囲を囲む環状の粉砕板８と、該粉砕室７内の底面部に配置された回転テーブル状の回転羽根９と、該回転羽根９を回転させるモータ１０と、下ケース６に設けられた排出口１１等を備えている。
【００２６】
取付筒２には蓋１２が着脱自在に装着されている。
【００２７】
蓋１２を取り外して生ゴミを粉砕室７内に投入し、蓋を被せた後、シンクに水を流しながらスイッチ（図示略）をＯＮとすると、回転羽根９が回転し、生ゴミが破砕される。細かく破砕された生ゴミは、粉砕板８の孔８ａを通って水と共に排出口１１から排出される。
【００２８】
この実施の形態では、上ケース４及び中ケース５は紫外線透過性の合成樹脂等の素材よりなる。上ケース４の上部は、上方ほど拡径する上向きテーパ部４ａとなっている。このテーパ部４ａよりも下側は筒状部４ｂとなっている。中ケース５には下方ほど拡径する下向きテーパ部５ｂが設けられ、この下向きテーパ部５ｂの上側と下側はそれぞれ筒状部５ａ，５ｃとなっている。この上向きテーパ部４ａは蓋１２を指向し、下向きテーパ部５ｂは回転羽根９に向っている。
【００２９】
筒状部４ｂ，５ａは、等径であり、フランジ部４ｃ，５ｄを介して連結されている。
【００３０】
図２に拡大して示される通り、下ケース５の下向きテーパ部５ｂと筒状部５ｃとの連結部付近は、下向きテーパ部５ｂの外周面と略垂直な垂直面５ｅとなっている。この垂直面５ｅに対峙して紫外線光源としてのＵＶＬＥＤ２０がＬＥＤカバー２１に保持されるようにして設置されている。この実施の形態では、垂直面５ｅは下ケース５を周方向に周回しており、ＵＶＬＥＤ２０は直径方向に対峙して２個設けられている。ただし、ＵＶＬＥＤの数は１又は３個以上であってもよい。
【００３１】
図２の通り、中ケース５の下向きテーパ部５ｂの内面は、下向きの斜面３０と段差面３１とを交互に繰り返した鋸歯状断面となっている。この斜面３０は粗面よりなる。段差面３１は平滑面よりなる。
【００３２】
上ケース４の上向きテーパ部４ａの内面は、この下向きテーパ部５ｂと上下対称形状の鋸歯状断面となっている。この上向きテーパ部４ａの上向き斜面は粗面よりなる。筒状部４ｂ，５ａの内面は全体として粗面となっている。
【００３３】
ＵＶＬＥＤ２０を点灯させると、紫外線が垂直面５ｅから中ケース５内に入射され、該中ケース５内を導波して上ケース４内にも入射され、上ケース４内を導波する。中ケース５、上ケース４内を導波する間に、紫外線の一部がケース５，４の内面に当たると、ケース５，４内に出射する。このように出射した紫外線により、ディスポーザ１内が殺菌され、ヌメリ除去などの防汚作用が奏される。
【００３４】
なお、蓋１２の下面や、粉砕板８の内周面、回転羽根９にも紫外線が照射されて防汚される。
【００３５】
この実施の形態では、中ケース５の下向きテーパ部５ｂに斜面３０が設けられ、この斜面３０が粗面となっているので、紫外線が下向きに多量に出射し、粉砕板８の内周面及び回転羽根９が十分に防汚される。蓋１２の下面も同様に紫外線が多量に照射され、十分に防汚される。
【００３６】
なお、この粉砕板８の内面や回転羽根９の上面、蓋１２の下面や、上ケース４、中ケース５などに光触媒のコーティングなどにより光触媒を保持させておくと、光触媒作用によって有機物が分解され、防汚性能が向上する。
【００３７】
この実施の形態では、ケース４，５は全体として紫外線透過性を有しており、少数個のＵＶＬＥＤ２０から入射した紫外線が反射を繰り返すことにより、ケース４，５の全体に拡がり、ケース４，５の内面の略全体から紫外線が出射する。なお、ケース４，５の外面に必要に応じ紫外線反射層を設けてもよい。
【００３８】
この実施の形態では、ケース４，５の内面に蛍光材又は蓄光材のコーティング層を設けてもよい。この蛍光材又は蓄光材が発光することにより粉砕室７内が照明される。また、紫外線の出射状況を可視光で確認することができる。
【００３９】
上記実施の形態では、垂直面５ｅから入射したＵＶＬＥＤ２０からの紫外線のみを内部に照射しているが、ＵＶＬＥＤ２０の他にさらにケース４，５の外部に紫外線光源を配置し、この紫外線光源からの紫外線もケース４，５を透過させて内部に照射するようにしてもよい。
【００４０】
上記実施の形態ではケース４，５の内面に紫外線出射用の粗面を設けているが、ケース４，５の内面と外面との間に光散乱部を設け、紫外線を散乱させてケース４，５内に照射するようにしてもよい。この場合、ケース４，５の外面に反射層を設け、紫外線が外部に漏れないようにするのが好ましい。
【図面の簡単な説明】
【００４１】
【図１】実施の形態に係るディスポーザの断面図である。
【図２】図１のディスポーザの一部の拡大図である。
【符号の説明】
【００４２】
１  ディスポーザ
２  取付筒
３  ジョイントパッキン
４  上ケース
５  中ケース
６  下ケース
７  粉砕室
８  粉砕板
９  回転羽根
２０  ＵＶＬＥＤ
【図１】
2006305480.tif 000003
【図２】
2006305480.tif 000004